(57)【要約】      （修正有）【課題】重さを調整して、使用者の体力や目的に応じた適度の重さにすることで、足腰の負担軽減と共に握力や手首、腕や背筋の筋力維持に繋げる杖を提供する。【解決手段】杖のシャフト２に接続されているグリップ部分に鉛、鉄、アルミ等からなる全体または一体のウェイト７または調整ウェイト８を内蔵し、グリップ部分の取替または調整ウェイトを増減させることで杖の重さを調整する。【選択図】図１４
0003230081.tif 000002
【実用新案登録請求の範囲】
【請求項１】
（イ）  杖のグリップ１部分（図７）の内部に調整ウエィト８を内蔵する仕組みを設け、
（ロ）  調整ウェイト８を増減することで杖の重さを調整する仕組みを設けたことを特徴とするハンドウェイト杖。
【請求項２】
（イ）  杖のグリップ１部分（図８）に一体のウエィト７を内蔵し、ウェイト７の材質や量や形状でグリップ１の重さを変更する仕組みを設け、
（ロ）  グリップ１部分を取替えることで杖の重さを調整する仕組みを設けたことを特徴とするハンドウェイト杖。
【請求項３】
（イ）  杖のグリップ１部分（図９）全体をウエィト７仕様とし、グリップ１部分の内部に調整ウェイト８を内蔵する仕組みを設け、
（ロ）  グリップ１部分の取替または調整ウェイト８の増減によって杖の重さを調整する仕組みを設けたことを特徴とするハンドウェイト杖。
【考案の詳細な説明】
【技術分野】
【０００１】本考案は、杖のグリップ部分に重し（以下「ウェイト」と云う）を内蔵して、グリップ部分の取替またはウェイトを調整することで、使用者の体力や目的に合わせて杖のウェイトを調整することのできるハンドウェイト杖である。
【背景技術】
【０００２】従来の杖は歩行や腰や足の負担を軽減又は補助を目的として使用されるものが多いが、足腰の負担軽減と共に握力強化、手首や腕や肩の筋力補強を目的とする杖は殆んど存在していない。
【考案の概要】
【考案が解決しようとする課題】
【０００３】考案者の知人は一年程前に会社退職を機に「趣味の絵画と月数回のゴルフを楽しみたい」と云っていたが、退職後半年程して「足腰が弱っていてゴルフの飛距離も極端に落ちた」と語っている。知人が言うには「退職前は週に５日は、１日の内、通勤に往復１時間、勤務時間が８時間、昼の休息に１時間、計１０時間は事務職とは言え何だかんだで動いていた。
ところが、退職後は、椅子に座って趣味の絵を描いたりテレビを観たりで、歩くのは食事の時かトイレに行く時ぐらい。
これでは、足腰が弱りゴルフの飛距離が落ちるのは当然だ。
そこで朝夕計１時間はジョギングすることに決めた。その後、少しは足腰の筋力は回復したがとても退職前におよばない。
その上手首や腕の筋力が戻らないのでジョギング時にリストウェイトを両手の手首に巻いて歩いてみた。最初は腕や肩の筋肉がついてきたように思われたが、その内、リストウェイトの重みが腰や膝の負担になりついには膝の関節や半月板に痛みを感じるようになり、今では杖を突いてジョギングする始末だ。」と語っていた。
そこで考案者は、くだんの知人に充分な重みのある杖を２本作って贈ってみたら、知人曰く「これなら足腰の負担はなくむしろ軽減になり、握力や手首の筋力強化や腕や背筋の補強になる。上々・・」と語ってくれた。
本考案の切っ掛けは上記の通りである。
年配者が衰えつつある足腰や体力を回復させようとジョギングを始めてみても、遣り過ぎると足腰の負担になり、握力や手首、腕や背筋の補強には繋がらない。そこで上記の欠点を克服するため、本考案の適度の重さのあるハンドウェイト杖を使用することにより、ジョギング時の過度の足腰の負担を軽減させ、同時に握力や手首、腕や背筋の補強に繋げることを可能にしようとするものである。
【課題を解決するための手段】
【０００４】本考案は、杖のグリップ１部分に全体または一体のウェイト７または調整ウエィト８を内蔵させ、使用者の体力や目的に応じてグリップ１部分の取替または調整ウェイト８を増減させることで重さを調整することのできるハンドウェイト杖の仕組みを考案した。
上記のハンドウェイト杖を使用することにより、ジョギング時の過度の足腰の負担を軽減させると共に握力や手首、腕や背筋の補強に繋げることで、体力の維持や回復に繋げることを目的とするものである。
【考案の効果】
【０００５】年配者は、衰えつつある体力の維持、回復のためジョギングを始めても、遣り過ぎると足腰の負担になり、握力や手首、腕や背筋の補強には繋がらない。本考案の杖を使用すれば、足腰の負担はなくむしろ軽減になり、わざわざジムや自宅でウェイトトレーニングしなくともジョギングを楽しみながら握力や手首、腕や背筋の筋力補強に繋げることができる。
【図面の簡単な説明】
【０００６】
【図１】本考案の正面図
【図２】本考案の左側面図
【図３】本考案の右側面図
【図４】本考案の背面図
【図５】本考案の平面図
【図６】本考案の底面図
【図７】本考案のグリップ部分の内部に複数の調整ウェイトを内蔵させた、グリップ部分正面断面図
【図８】本考案のグリップ部分の内部に一体のウェイトを内蔵させた、グリップ部分正面断面図
【図９】本考案のグリップ部分正面図
【図１０】本考案のグリップ部分左側面図
【図１１】本考案のグリップ部分右側面図
【図１２】本考案のグリップ部分背面図
【図１３】本考案のグリップ部分正面平面図
【図１４】本考案のグリップ部分全体をウェイト仕様とし、その内部に調整ウェイトを内蔵させた、グリップ部分正面断面図
【産業上の利用の可能性】
【０００７】ますます高齢化する現在にあって、年配者の体力維持は重要な課題である。
本考案が普及することで体力に自信のない者や足腰の弱い者、男女の別を問わず、その体力や目的に応じて杖の重さを調整することが出来るので、ジョギングが苦手な人でも短時間の歩行で下半身と共に上半身の体力維持に努めることが可能となり、外出の楽しみが増えることが期待できる。
本考案のハンドウェイト杖が年配者や体力に自信のない人達の体力維持の一助となれば新しい市場が開ける。
【符合の説明】
【０００８】１はグリップ
２はシャフト
３は石突
４は雄ネジ
５は雌ネジ
６はストッパー
７はウエィト
８は調整ウェイト
９はキャップ
【図１】
0003230081.tif 000003
【図２】
0003230081.tif 000004
【図３】
0003230081.tif 000005
【図４】
0003230081.tif 000006
【図５】
0003230081.tif 000007
【図６】
0003230081.tif 000008
【図７】
0003230081.tif 000009
【図８】
0003230081.tif 000010
【図９】
0003230081.tif 000011
【図１０】
0003230081.tif 000012
【図１１】
0003230081.tif 000013
【図１２】
0003230081.tif 000014
【図１３】
0003230081.tif 000015
【図１４】
0003230081.tif 000016
【手続補正書】
【提出日】令和2年6月11日(2020.6.11)
【手続補正１】
【補正対象書類名】実用新案登録請求の範囲
【補正対象項目名】全文
【補正方法】変更
【補正の内容】
【実用新案登録請求の範囲】
【請求項１】
杖のグリップ１部分全体をウェイト７の材質や量や形状で重さを変更する仕組みを施し、グリップ１部分を取替ることで杖の重さを調整することを特徴とするハンドウェイト杖。
【請求項２】
杖のグリップ１部分の内部に調整ウエィト８を内蔵する仕組みを施し、調整ウェイト８を増減することで杖の重さを調整することを特徴とするハンドウェイト杖。
【手続補正書】
【提出日】令和2年10月2日(2020.10.2)
【手続補正１】
【補正対象書類名】実用新案登録請求の範囲
【補正対象項目名】全文
【補正方法】変更
【補正の内容】
【実用新案登録請求の範囲】
【請求項１】
（イ）  杖のグリップ１部分の内部に調整ウエィト８を内蔵する仕組みを設け、
（ロ）  調整ウェイト８を増減すること又は調整ウェイト８内部の材質を鉛、鉄、アルミ等で重さを変えることで杖の重さを調整する仕組みを設けたことを特徴とするハンドウェイト杖。
【請求項２】
（イ）  杖のグリップ１部分の内部にウエィト７を内蔵し、ウェイト７の材質を鉛、鉄、アルミ等やその量又は形状でグリップ１の重さを変更する仕組みを設け、
（ロ）  グリップ１部分を取替えることで杖の重さを調整する仕組みを設けたことを特徴とするハンドウェイト杖。